(57)【要約】【課題】ＩＰ網に主装置を接続し子機によるＩＰ通話を実現する際に、主装置の大型化を阻止し、かつ主装置内部の放射ノイズの発生を抑制する。【解決手段】主装置１に、ＰＣＭ・ＨＷ１４と、ＶｏＩＰ・ＧＷ１８と、ルータ１９とを設け、ＧＷ１８は、ＨＷ１４上の子機からの音声データをＩＰパケットに変換し、そのパケットをＨＤＬＣフレームに変換してＨＷ１４に送出しルータ１９に受信させるとともに、ルータ１９側からのＨＷ１４上のＨＤＬＣフレームをＩＰパケットに変換し、そのパケットを音声データに変換しＨＷ１４を介し子機に送出する一方、ルータ１９は、ＧＷ１８からのＨＷ１４上のＨＤＬＣフレームをＩＰパケットに変換しＩＰ網に送信するとともに、ＩＰ網側からのＩＰパケットをＨＤＬＣフレームに変換してＨＷ１４に送出しＧＷ１８に受信させる。【選択図】        図１
2004153709.tif 000002
【特許請求の範囲】
【請求項１】
ＩＰ網に接続される主装置と、前記主装置に収容される子機とからなるボタン電話装置において、
前記主装置は、
前記子機のＰＣＭ音声データを時分割多重で転送するＰＣＭハイウエイと、
前記ＰＣＭハイウェイに接続されるゲートウェイと、
前記ＰＣＭハイウェイに接続されるルータと
を備え、
前記ゲートウェイは、前記ＰＣＭハイウェイ上のＰＣＭ音声データを受信するとＩＰパケットに変換し、変換したＩＰパケットを所定の形式のフレームに変換して前記ＰＣＭハイウェイに送出する一方、前記ＰＣＭハイウェイ上の前記所定の形式のフレームを受信するとＩＰパケットに変換し、変換したＩＰパケットをＰＣＭ音声データに変換して前記ＰＣＭハイウェイに送出する第１の送受信手段を有し、
前記ルータは、前記第１の送受信手段により送出された前記ＰＣＭハイウェイ上の前記所定の形式のフレームを受信するとＩＰパケットに変換し前記ＩＰ網に送信する一方、前記ＩＰ網からのＩＰパケットを受信すると前記所定の形式のフレームに変換し前記ＰＣＭハイウェイに送出して前記第１の送受信手段に受信させる第２の送受信手段を有することを特徴とするボタン電話装置。
【請求項２】
請求項１において、
前記第１の送受信手段は、
ＰＣＭハイウエイ上のＰＣＭ音声データを受信するとＩＰパケットに変換するとともに、ＩＰパケットを受信するとＰＣＭ音声データに変換するＩＰ／ＰＣＭ変換部と、
前記ＩＰ／ＰＣＭ変換部により変換されたＩＰパケットを受信すると前記所定の形式のフレームに変換するとともに、ＰＣＭハイウエイ上の前記所定の形式のフレームを受信するとＩＰパケットに変換し前記ＩＰ／ＰＣＭ変換部に出力してＰＣＭ音声データに変換させる第１のコントローラとを有し、
前記第２の送受信手段は、
前記ＰＣＭハイウェイ上の前記所定の形式のフレームを受信するとＩＰパケットに変換するとともに、前記ＩＰ網からのＩＰパケットを受信すると前記所定の形式のフレームに変換する第２のコントローラを有することを特徴とするボタン電話装置。
【請求項３】
請求項１において、
前記所定の形式のフレームは、ＨＤＬＣフレームであることを特徴とするボタン電話装置。
【請求項４】
請求項１において、
前記所定の形式のフレームは、ＭＡＣフレームであることを特徴とするボタン電話装置。
【発明の詳細な説明】
【０００１】
【発明の属する技術分野】
本発明は、ＩＰ（Ｉｎｔｅｒｎｅｔ  Ｐｒｏｔｏｃｏｌ）網を介して通話が可能な電話装置に関し、より具体的には複数の子機を収容し制御が可能な主装置を有するボタン電話装置に関する。
【０００２】
【従来の技術】
インターネットなどのＩＰ網を介して通話が可能なＩＰ電話は、通話料金が廉価であることから今後益々普及するものと考えられる。このため、こうしたＩＰ網に主装置を接続し、子機によるＩＰ通話を実現するボタン電話装置が検討されている。
【０００３】
図４は、このようなボタン電話装置の構成を示すブロック図である。こうしたボタン電話装置の主装置１０には、従来から、ＣＰＵ１１、時間スイッチ（以下、ＴＤＭ）１２、ＰＣＭハイウェイ（以下、ＰＣＭ・ＨＷ）１４、子機２とのインタフェースであるステーションユニット（以下、ＳＴＵ）１５が設けられており、さらに、子機２からの音声データ（ＰＣＭ音声データ）をＩＰパケットに変換しＩＰ網側に送信する一方、ＩＰ網側からのＩＰパケットをＰＣＭ音声データに変換し子機２側に送信するＶｏＩＰゲートウェイ（以下、ＶｏＩＰ・ＧＷ）端末１３と、ルータ１６と、ＨＵＢ（ハブ）１７とを設けることによってＩＰ通話機能を持たせている。なお、この場合、ルータ１６とＨＵＢ１７とをケーブル２１により接続し、かつＨＵＢ１７とＶｏＩＰ・ＧＷ端末１３とをケーブル２０により接続する。
【０００４】
ここで、主装置１０は、図４に示すように、ルータ１６のＷＡＮ（Ｗｉｄｅ  Ａｒｅａ  Ｎｅｔｗｏｒｋ）用コネクタＣＮ６を介してＩＳＰ４に接続される。さらに、主装置１０内のＨＵＢ１７のコネクタＣＮ５にはＩＰ電話機７が接続される。なお、ＩＳＰ５には、ＩＰ電話機６が接続される。さらにＩＳＰ４とＩＳＰ５間はインターネット３で接続されている。
【０００５】
図５は、ＶｏＩＰ・ＧＷ端末１３、ルータ１６及びＨＵＢ１７の詳細構成を示すブロック図である。
ＶｏＩＰ・ＧＷ端末１３は、ＣＰＵ１３１と、このＣＰＵ１３１がローカルバスを介してアクセス可能なＲＯＭ１３２及びＲＡＭ１３３とを備えている。また、このローカルバスには、ＣＰＵ１３１，ＲＯＭ１３２，ＲＡＭ１３３に加え、ＰＣＭ・ＨＷ１４とのインタフェースであるＰＣＭ・ＨＷインタフェース１３４と、ＩＰ／ＰＣＭ変換部１３５とが接続される。さらに、ＩＰ／ＰＣＭ変換部１３５にはＬＡＮコントローラ１３６が接続される。前記ＬＡＮコントローラ１３６は、トランスＴ１、コネクタＣＮ１を介して前述のケーブル２０によりＨＵＢ１７と接続される。
【０００６】
ここで、ＩＰ／ＰＣＭ変換部１３５は、ＰＣＭ・ＨＷ１４及びＰＣＭ・ＨＷインタフェース１３４を介し子機２から受信したＰＣＭ音声データをＩＰパケットに変換しＬＡＮコントローラ１３６を経由してＨＵＢ１７側へ送信するとともに、ＨＵＢ１７及びＬＡＮコントローラ１３６を介しＩＰ電話機６から受信したＩＰパケットをＰＣＭ音声データに変換しＰＣＭ・ＨＷインタフェース１３４及びＰＣＭ・ＨＷ１４を介して子機２側へ送出する。
【０００７】
一方、ＨＵＢ１７には、ＨＵＢコントローラ１７１が設けられ、ＨＵＢコントローラ１７１は、ルータ１６のＬＡＮコントローラ１６５にトランスＴ９，コネクタＣＮ３，ケーブル２１，コネクタＣＮ４，トランスＴ８を介して接続されるとともに、ＨＵＢコントローラ１７１の各ポートはそれぞれトランスＴ２〜Ｔ５を介してコネクタＣＮ２，ＣＮ８〜ＣＮ１０と接続され、各コネクタＣＮ２，ＣＮ８〜ＣＮ１０のうち例えばコネクタＣＮ２を介してケーブル２０によりＶｏＩＰ・ＧＷ端末１３と接続される。また、ＨＵＢコントローラ１７１にはトランスＴ６及びコネクタＣＮ５を介してＩＰ電話機７が接続される。
【０００８】
また、ルータ１６は、ＣＰＵ１６１と、このＣＰＵ１６１がローカルバスを介してアクセス可能なＲＯＭ１６２及びＲＡＭ１６３とを備える。また、このローカルバスには、ＬＡＮコントローラ１６４，１６５が接続される。ここで、ＬＡＮコントローラ１６４はトランスＴ７及びコネクタＣＮ６を介してＩＳＰ４と接続され、ＬＡＮコントローラ１６５は前述したようにＨＵＢ１７のＨＵＢコントローラ１７１に接続される。
【０００９】
図６は、インターネット３上で通信される音声データを運ぶ場合のＩＰパケットのフォーマットを示す図である。
ＶｏＩＰ・ＧＷ端末１３のＩＰ／ＰＣＭ変換部１３５は、子機２側からのＰＣＭ音声データを受信すると、図６に示すように、このＰＣＭ音声データに、ＲＴＰ（Ｒｅａｌ−ｔｉｍｅ  Ｔｒａｎｓｐｏｒｔ  Ｐｒｏｔｏｃｏｌ：実時間会話形式でデータをストリーミング転送するためのプロトコル）ヘッダと、ＵＤＰ（Ｕｓｅｒ  Ｄａｔａｇｒａｍ  Ｐｒｏｔｏｃｏｌ：コネクションレス型で実時間指向データを転送するためのプロトコル）ヘッダと、ＩＰヘッダとを付加し、ＩＰパケットとしてＩＳＰ４へ送信する一方、ＩＳＰ４から子機２へのＩＰパケットを受信すると、このＩＰパケットからＩＰヘッダ、ＵＤＰヘッダ、ＲＴＰヘッダを取り除いてＰＣＭ音声データとして子機２側へ送信する。
【００１０】
次に以上のように構成されたボタン電話装置の動作を説明する。
子機２が発呼動作を行うことにより、子機２とＩＰ電話機６とが、主装置１０，ＩＳＰ４，インターネット３，ＩＳＰ５を介して接続される。その後、子機２の送話信号（子機２からの音声信号）はＰＣＭ音声データとして主装置１０のＳＴＵ１５を介してＰＣＭ・ＨＷ１４に乗せられ、このＰＣＭ音声データは、ＴＤＭ１２によりスイッチングされてＶｏＩＰ・ＧＷ端末１３に到達する。
【００１１】
ＶｏＩＰ・ＧＷ端末１３ではＰＣＭ・ＨＷインタフェース１３４が、ＰＣＭ・ＨＷ１４のタイムスロットからこのＰＣＭ音声データを取り出して、ＩＰ／ＰＣＭ変換部１３５により、前述したようにこのＰＣＭ音声データにＲＴＰヘッダ、ＵＤＰヘッダ、ＩＰヘッダを付加してＩＰパケットとし、ＬＡＮコントローラ１３６に送る。ＬＡＮコントローラ１３６はそのＩＰパケットを、トランスＴ１、コネクタＣＮ１及びケーブル２０を介してＨＵＢ１７に送信する。ＨＵＢ１７では、ＨＵＢコントローラ１７１がこのＩＰパケットをルータ１６側へ送る。
【００１２】
ルータ１６ではＣＰＵ１６１の制御のもとで、このＩＰパケットをＬＡＮコントローラ１６５が受信し、これをさらにＬＡＮコントローラ１６４によりトランスＴ７及びコネクタＣＮ６を介してＩＳＰ４へ送信させる。送信されたＩＰパケットはＩＳＰ５の配下にあるＩＰ電話機６で受信されると、音声として再生される。
【００１３】
一方、ＩＰ電話機６の音声信号はＰＣＭ音声データに変換され、そのＰＣＭ音声データに、ＲＴＰヘッダ、ＵＤＰヘッダ及びＩＰヘッダを付加したＩＰパケットが作成されて、ＩＳＰ５からインターネット３に送出される。インターネット３に送出されたＩＰパケットは、ＩＰヘッダに含まれるＩＰアドレスに従い主装置１０宛に送信される。主装置１０のルータ１６ではこのＩＰパケットをコネクタＣＮ６及びトランスＴ７を介してＬＡＮコントローラ１６４が受信し、受信したＩＰパケットを、ＬＡＮコントローラ１６５によりＨＵＢ１７に送る。ＨＵＢ１７ではＨＵＢコントローラ１７１がそのＩＰパケットをトランスＴ２、コネクタＣＮ２及びケーブル２０を経由してＶｏＩＰ・ＧＷ端末１３に送る。
【００１４】
ＨＵＢ１７から送信されたＩＰパケットは、ＶｏＩＰ・ＧＷ端末１３のＬＡＮコントローラ１３６により受信されＩＰ／ＰＣＭ変換部１３５に送られる。ＩＰ／ＰＣＭ変換部１３５は、そのＩＰパケットからＩＰヘッダ、ＵＤＰヘッダ及びＲＴＰヘッダを取り除いてＰＣＭ音声データとしてＰＣＭ・ＨＷインタフェース１３４に送る。ＰＣＭ・ＨＷインタフェース１３４はそのＰＣＭ音声データをＰＣＭ・ＨＷ１４に乗せる。ＰＣＭ・ＨＷ１４に乗せられたＩＰ電話機６のＰＣＭ音声データは、ＴＤＭ１２によりスイッチングされてＳＴＵ１５に到達し、ＳＴＵ１５によりＰＣＭ・ＨＷ１４のタイムスロットから取り出されて子機２へ送られ子機２によりアナログ受話信号に変換されて受話器から送出される。
【００１５】
なお、上述した従来技術は、出願人が出願時点で知る限りにおいて公知文献ではない。
また、出願人は出願時までに本発明に関連する先行技術文献を発見することができなかった。よって、先行技術文献情報を開示していない。
【００１６】
【発明が解決しようとする課題】
このようにインターネット等のＩＰ網に主装置を接続し、子機によるＩＰ通話を実現する場合、主装置に新たにルータ、ＨＵＢ及びＶｏＩＰ・ＧＷ端末を設けるとともに、新たに主装置に設けられた各部の間、特にＨＵＢとＶｏＩＰ・ＧＷ端末間をＬＡＮケーブルにより接続していることから、主装置の大型化を招き、かつケーブルから放射ノイズが発生するという問題があった。
【００１７】
したがって、本発明は、主装置内部の配線を行う際にケーブルを不要にすることにより、主装置の大型化を阻止するとともに放射ノイズの発生を抑制することを目的とする。
【００１８】
【課題を解決するための手段】
このような課題を解決するために本発明は、ＩＰ網に接続される主装置と、主装置に収容される子機とからなるボタン電話装置において、主装置に、時分割多重された子機のＰＣＭ音声データがのせられるＰＣＭハイウエイ（ＰＣＭ・ＨＷ）と、ＰＣＭハイウェイに接続されるゲートウェイ（ＧＷ）と、ＰＣＭ・ＨＷに接続されるルータとを設け、ＧＷに、ＰＣＭ・ＨＷ上のＰＣＭ音声データを受信するとＩＰパケットに変換し、変換したＩＰパケットを所定の形式のフレームに変換してＰＣＭ・ＨＷに送出する一方、ＰＣＭ・ＨＷ上の所定の形式のフレームを受信するとＩＰパケットに変換し、変換したＩＰパケットをＰＣＭ音声データに変換してＰＣＭ・ＨＷに送出する第１の送受信手段を設け、ルータに、第１の送受信手段により送出されたＰＣＭ・ＨＷ上の所定の形式のフレームを入力するとＩＰパケットに変換しＩＰ網に送信する一方、ＩＰ網からのＩＰパケットを受信すると所定の形式のフレームに変換しＰＣＭ・ＨＷに送出して第１の送受信手段に受信させる第２の送受信手段を設けたものである。
【００１９】
この場合、第１の送受信手段として、ＰＣＭ・ＨＷ上のＰＣＭ音声データを入力するとＩＰパケットに変換するとともに、ＩＰパケットを入力するとＰＣＭ音声データに変換するＩＰ／ＰＣＭ変換部と、ＩＰ／ＰＣＭ変換部により変換されたＩＰパケットを入力すると所定の形式のフレームに変換するとともに、ＰＣＭ・ＨＷ上の所定の形式のフレームを入力するとＩＰパケットに変換しＩＰ／ＰＣＭ変換部に出力してＰＣＭ音声データに変換させる第１のコントローラとを設け、第２の送受信手段として、ＰＣＭ・ＨＷ上の所定の形式のフレームを入力するとＩＰパケットに変換するとともに、ＩＰ網からのＩＰパケットを入力すると所定の形式のフレームに変換する第２のコントローラを設けたものである。
【００２０】
また、前記所定の形式のフレームは、ＨＤＬＣフレーム、またはＭＡＣフレームとしても良い。
【００２１】
【発明の実施の形態】
以下、本発明について図面を参照して説明する。
図１は本発明に係る電話装置の構成を示すブロック図である。この電話装置は、主装置１と、この主装置１に収容され制御される子機２とからなり、子機２に設けられたボタンを操作することにより回線の捕捉が可能なボタン電話装置である。主装置１には、ＣＰＵ１１、ＴＤＭ１２、ＰＣＭ・ＨＷ１４、及び子機２とのインタフェースであるＳＴＵ１５が設けられているとともに、ＶｏＩＰ・ＧＷ１８及びルータ１９が設けられている。
【００２２】
ここで、ＶｏＩＰ・ＧＷ１８は、子機２からのＰＣＭ音声データをＩＰパケットに変換し、さらにこのＩＰパケットをＨＤＬＣ（Ｈｉｇｈ−ｌｅｖｅｌ  Ｄａｔａ  Ｌｉｎｋ  Ｃｏｎｔｒｏｌ）フレームに変換し、ＰＣＭ・ＨＷ１４を介してルータ１９側へ送信するとともに、ルータ１９側からのＨＤＬＣフレームを受信するとこのＨＤＬＣフレームからＩＰパケットを抽出し、さらに抽出したＩＰパケットをＰＣＭ音声データに変換して子機２側へ送信する機能を有する。また、ルータ１９は、ＰＣＭ・ＨＷ１４を介しＶｏＩＰ・ＧＷ１８からのＨＤＬＣフレームを受信すると、このＨＤＬＣフレームからＩＰパケットを抽出し、ＩＰ網側へ送信するとともに、ＩＰ網側からのＩＰパケットを受信するとこの受信ＩＰパケットをＨＤＬＣフレームに変換しＶｏＩＰ・ＧＷ１８側へ送信する機能を有する。
【００２３】
なお、主装置１は、図１に示すように、ルータ１９のコネクタＣＮ１，ＩＳＰ４を介しＩＰ網であるインターネット３に接続される。また、主装置１のルータ１９のコネクタＣＮ２にはＩＰ電話機７が接続されるとともに、前記ルータ１９のコネクタＣＮ３にはＩＰ電話機８が接続される。さらに、インターネット３には、ＩＳＰ５を介してＩＰ電話機６が接続されている。
【００２４】
図２は、ＶｏＩＰ・ＧＷ１８及びルータ１９の詳細構成を示すブロック図である。
ＶｏＩＰ・ＧＷ１８には、ＣＰＵ１８１と、ＣＰＵ１８１がローカルバスを介してアクセス可能なＲＯＭ１８２及びＲＡＭ１８３とを備えている。また、このローカルバスには、ＣＰＵ１８１，ＲＯＭ１８２及びＲＡＭ１８３に加えて、ＰＣＭ・ＨＷ１４とのインタフェースであるＰＣＭ・ＨＷインタフェース１８４と、ＩＰ／ＰＣＭ変換部１８５と、ＨＤＬＣコントローラ１８６とが接続される。
【００２５】
ここで、ＩＰ／ＰＣＭ変換部１８５は、ＰＣＭ・ＨＷ１４及びＰＣＭ・ＨＷインタフェース１８４を介し子機２側からのＰＣＭ音声データを受信すると、このＰＣＭ音声データをＩＰパケットに変換しＨＤＬＣコントローラ１８６に送信するとともに、ＨＤＬＣコントローラ１８６からＩＰパケットを受信すると、この受信パケットをＰＣＭ音声データに変換する。また、ＨＤＬＣコントローラ１８６は、ＩＰ／ＰＣＭ変換部１８５からのＩＰパケットを受信すると、この受信ＩＰパケットをＨＤＬＣフレームに変換してＰＣＭ・ＨＷインタフェース１８４に送り、ＰＣＭ・ＨＷインタフェース１８４によりＰＣＭ・ＨＷ１４に乗せてルータ１９側へ送信させるとともに、ＰＣＭ・ＨＷ１４及びＰＣＭ・ＨＷインタフェース１８４を介してルータ１９からのＨＤＬＣフレームを受信すると、この受信ＨＤＬＣフレームからＩＰパケットを抽出してＩＰ／ＰＣＭ変換部１８５に送り、ＰＣＭ音声データに変換させる。
【００２６】
一方、ルータ１９にはＣＰＵ１９１が設けられ、ＣＰＵ１９１には、ローカルバスを介してＲＯＭ１９２及びＲＡＭ１９３が接続されるとともに、ＰＣＭ・ＨＷインタフェース１９４とＨＤＬＣコントローラ１９５とが接続される。また、ＣＰＵ１９１には、ＰＣＩ（Ｐｅｒｉｐｈｅｒａｌ  Ｃｏｍｐｏｎｅｎｔ  Ｉｎｔｅｒｃｏｎｎｅｃｔ）バスを介してＬＡＮコントローラ１９６〜１９８が接続される。ここで、ＬＡＮコントローラ１９６はトランスＴ１１を介してコネクタＣＮ１に接続される。また、ＬＡＮコントローラ１９７はトランスＴ１２を介してコネクタＣＮ２に接続される。さらに、ＬＡＮコントローラ１９８はトランスＴ１３を介してコネクタＣＮ３に接続される。
【００２７】
ルータ１９のＨＤＬＣコントローラ１９５は、ＰＣＭ・ＨＷ１４及びＰＣＭ・ＨＷインタフェース１９４を介しＶｏＩＰ・ＧＷ１８からのＨＤＬＣフレームを受信すると、この受信ＨＤＬＣフレームからＩＰパケットを抽出しＣＰＵ１９１に送出することによりＣＰＵ１９１に、このＩＰパケットをその送信宛先に応じたＩＰ電話機側へ送出させるとともに、ＩＰ網側からのＩＰパケットを受信すると、その受信ＩＰパケットをＨＤＬＣフレームに変換してＰＣＭ・ＨＷインタフェース１９４に送り、ＰＣＭ・ＨＷインタフェース１９４によりＰＣＭ・ＨＷ１４に乗せてＶｏＩＰ・ＧＷ１８側へ送信させる。
【００２８】
図３は、主装置１内のＶｏＩＰ・ＧＷ１８とルータ１９との間で通信されるＨＤＬＣフレームのフォーマットを示す図である。
ＶｏＩＰ・ＧＷ１８とルータ１９との間でＰＣＭ・ＨＷ１４を介して通信可能なフレームは、前述のＨＤＬＣフレームや後述のＭＡＣ（Ｍｅｄｉａ  Ａｃｃｅｓｓ  Ｃｏｎｔｏｒｏｌ）フレームに限らない。すなわち、ＶｏＩＰ・ＧＷ１８とルータ１９とがそれぞれ、ＰＣＭ・ＨＷ１４のタイムスロットからフレームを取り出す機能及びＰＣＭ・ＨＷ１４のタイムスロットにフレームを乗せる機能を有し、かつ両者（即ち、ＶｏＩＰ・ＧＷ１８とルータ１９）に共通のそのフレームの形式がどのような形式のフレームであるかを両者が互いに識別することができ、さらにそのフレームの送信元と送信先とを両者が識別可能であれば、如何なるフレームであっても構わないが、ここでは一例としてＨＤＬＣフレームの例を説明する。
【００２９】
ＶｏＩＰ・ＧＷ１８のＩＰ／ＰＣＭ変換部１８５は、子機２からのＰＣＭ音声データを入力すると、ＩＰパケットに変換するが、この際には図３に示すように、このＰＣＭ音声データに、ＲＴＰ（Ｒｅａｌ−ｔｉｍｅ  Ｔｒａｎｓｐｏｒｔ  Ｐｒｏｔｏｃｏｌ：実時間会話形式でデータをストリーミング転送するためのプロトコル）ヘッダと、ＵＤＰ（Ｕｓｅｒ  Ｄａｔａｇｒａｍ  Ｐｒｏｔｏｃｏｌ：コネクションレス型で実時間指向データを転送するためのプロトコル）ヘッダと、ＩＰヘッダとを付加して、ＩＰパケットとする。このＩＰパケットを入力したＶｏＩＰ・ＧＷ１８のＨＤＬＣコントローラ１８６は、このＩＰパケットの前後にそれぞれ、ＨＤＬＣフレームのヘッダと、ＨＤＬＣフレームのフッダとを付加した図３に示すＨＤＬＣフレームを作成し、ＰＣＭ・ＨＷインタフェース１８４に送ってＰＣＭ・ＨＷ１４に乗せ、ルータ１９側へ送信させる。
【００３０】
また、ルータ１９のＨＤＬＣコントローラ１９５は、ＩＰ網側から受信したＩＰパケット（ＰＣＭ音声データに、ＲＴＰヘッダ、ＵＤＰヘッダ及びＩＰヘッダが付加されたパケット）を入力すると、このＩＰパケットの前後にそれぞれ、ＨＤＬＣヘッダ及びＨＤＬＣフッダを付加した図３に示すＨＤＬＣフレームを作成し、ＰＣＭ・ＨＷインタフェース１９４に送ってＰＣＭ・ＨＷ１４に乗せ、ＶｏＩＰ・ＧＷ１８側へ送信させる。
【００３１】
次に以上のように構成されたボタン電話装置の動作を説明する。
子機２が発呼動作を行うことにより、子機２とＩＰ電話機６とが、主装置１，ＩＳＰ４，インターネット３，ＩＳＰ５を介して接続された後、子機２の送話信号はＰＣＭ音声データとして主装置１のＳＴＵ１５を介してＰＣＭ・ＨＷ１４に乗せられる。ＰＣＭ・ＨＷ１４のＰＣＭ音声データは、ＴＤＭ１２によりスイッチングされてＶｏＩＰ・ＧＷ１８に到達する。
【００３２】
ＶｏＩＰ・ＧＷ１８では、ＣＰＵ１８１のＲＯＭ１８２のプログラムの実行に基づく制御の下で、ＰＣＭ・ＨＷインタフェース１８４がＰＣＭ・ＨＷ１４のタイムスロットからこのＰＣＭ音声データを取り出し、さらにＩＰ／ＰＣＭ変換部１８５により、このＰＣＭ音声データにＲＴＰヘッダ、ＵＤＰヘッダ、ＩＰヘッダを付加してＩＰパケットを作成し、ＨＬＤＣコントローラ１８６に送る。ＨＤＬＣコントローラ１８６はそのＩＰパケットの前後にそれぞれ、ＨＤＬＣヘッダ及びＨＤＬＣフッダを付加したＨＤＬＣフレームを作成して、ＰＣＭ・ＨＷインタフェース１８４に送りＰＣＭ・ＨＷ１４に乗せる。ＰＣＭ・ＨＷ１４に乗せられたＨＤＬＣフレームは、ＴＤＭ１２によりスイッチングされてルータ１９に到達する。
【００３３】
ルータ１９では、ＣＰＵ１９１のＲＯＭ１９２のプログラムの実行に基づく制御の下で、ＰＣＭ・ＨＷインタフェース１９４がＰＣＭ・ＨＷ１４のタイムスロットからこのＨＤＬＣフレームを取り出し、さらにＨＤＬＣコントローラ１９５がそのＨＤＬＣフレームから、ＨＤＬＣヘッダ及びＨＤＬＣフッダを取り除いてＩＰパケットを抽出する。このＩＰパケットはＣＰＵ１９１により、そのＩＰヘッダに含まれるＩＰアドレスにしたがってＬＡＮコントローラ１９６に送られ、ＬＡＮコントローラ１９６からトランスＴ１１及びコネクタＣＮ１を介してインターネット３へ送信される。
【００３４】
インターネット３上を送信されるＩＰパケットはＩＰ電話機６で受信され、ＩＰ電話機６では、受信ＩＰパケットからＩＰヘッダ、ＵＤＰヘッダ及びＲＴＰヘッダを取り除いてＰＣＭ音声データとし、さらにアナログ受話信号に変換し受話器から送出させる。
【００３５】
一方、ＩＰ電話機６のアナログ送話信号はＰＣＭ音声データに変換され、そのＰＣＭ音声データに、ＲＴＰヘッダ、ＵＤＰヘッド及びＩＰヘッダを付加したＩＰパケットが作成されて、ＩＳＰ５からインターネット３に送信される。インターネット３内を送信されるＩＰパケットは、ＩＰヘッダに含まれるＩＰアドレスにしたがい主装置１宛に送信される。主装置１のルータ１９ではこのＩＰパケットをコネクタＣＮ１及びトランスＴ１１を介してＬＡＮコントローラ１９６が受信すると、ＣＰＵ１９１によりＨＤＬＣコントローラ１９５に送られる。
【００３６】
ＨＤＬＣコントローラ１９５はそのＩＰパケットの前後にそれぞれ、ＨＤＬＣヘッダ及びＨＤＬＣフッダを付加したＨＤＬＣフレームを作成して、ＰＣＭ・ＨＷインタフェース１９４に送りＰＣＭ・ＨＷ１４に乗せる。ＰＣＭ・ＨＷ１４に乗せられたＨＤＬＣフレームは、ＴＤＭ１２によりスイッチングされてＶｏＩＰ・ＧＷ１８に到達する。
【００３７】
ＶｏＩＰ・ＧＷ１８ではＰＣＭ・ＨＷインタフェース１８４がそのＨＤＬＣフレームをＰＣＭ・ＨＷ１４のタイムスロットから取り出すと、ＨＤＬＣコントローラ１８６に送り、ＨＤＬＣコントローラ１８６によりそのＨＤＬＣフレームから、ＨＤＬＣヘッダ及びＨＤＬＣフッダを取り除いてＩＰパケットを抽出する。そして、ＩＰ／ＰＣＭ変換部１８５により、そのＩＰパケットからＩＰヘッダ、ＵＤＰヘッダ及びＲＴＰヘッダを取り除いてＰＣＭ音声データとしてＰＣＭ・ＨＷインタフェース１８４に送り、ＰＣＭ・ＨＷ１４に乗せる。ＰＣＭ・ＨＷ１４に乗せられたＩＰ電話機６からのＰＣＭ音声データは、ＴＤＭ１２によりスイッチングされてＳＴＵ１５に到達し、ＳＴＵ１５によりＰＣＭ・ＨＷ１４のタイムスロットから取り出されて子機２へ送られ、子機２によりアナログ受話信号に変換されて子機２の受話器から送出される。
【００３８】
なお、子機２が主装置１のルータ１９のコネクタＣＮ２に接続されたＩＰ電話機７にダイヤルアップ接続したときに、子機２からのＰＣＭ音声データは、ＶｏＩＰ・ＧＷ１８により同様にＩＰパケットに変換されさらにＨＤＬＣフレームに変換された後、ＰＣＭ・ＨＷ１４を介してルータ１９に送られ、ルータ１９により同様にＩＰパケットに変換された後、そのＩＰパケットのＩＰアドレスにしたがってルータ１９のＬＡＮコントローラ１９７、トランスＴ１２及びコネクタＣＮ２を介しＩＰ電話機７に送信される。また、このときＩＰ電話機７側からのＰＣＭ音声データも同様に、ルータ１９、ＰＣＭ・ＨＷ１４、ＶｏＩＰ・ＧＷ１８、ＳＴＵ１５の経路を介して子機２側へ送信される。
【００３９】
また、子機２が主装置１のルータ１９のコネクタＣＮ３に接続されたＩＰ電話機８にダイヤルアップ接続したときに、子機２からのＰＣＭ音声データは、ＶｏＩＰ・ＧＷ１８により同様にＩＰパケットに変換されさらにＨＤＬＣフレームに変換された後、ＰＣＭ・ＨＷ１４を介してルータ１９に送られ、ルータ１９により同様にＩＰパケットに変換された後、そのＩＰパケットのＩＰアドレスにしたがってルータ１９のＬＡＮコントローラ１９８、トランスＴ１３及びコネクタＣＮ３を介しＩＰ電話機８に送信される。また、このときＩＰ電話機８側からのＰＣＭ音声データも同様に、ルータ１９、ＰＣＭ・ＨＷ１４、ＶｏＩＰ・ＧＷ１８、ＳＴＵ１５の経路を介して子機２側へ送信される。
【００４０】
このようにインターネット等のＩＰ網に主装置１を接続し、子機２によるＩＰ通話を実現する場合、主装置１に、ＶｏＩＰ・ＧＷ１８及びルータ１９を設けるともに、ＶｏＩＰ・ＧＷ１８とルータ１９との間でＩＰパケットを通信する際にはそのＩＰパケットをＨＤＬＣフレームに変換してＰＣＭ・ＨＷ１４を介し通信するようにしたので、ＶｏＩＰ・ＧＷ１８とルータ１９間をケーブルで接続することなく、既存のＰＣＭ・ＨＷ１４によってＩＰパケットを交換することができ、したがって、主装置の大型化を阻止できるとともに、ケーブルから放射ノイズが発生するといった問題を回避できる。
【００４１】
また、本ボタン電話装置は、図４に示すボタン電話装置のように、ＨＵＢ１７によりＩＰパケット（音声パケット）をスイッチングしておらず、遅延及びパケットのロスの無いＰＣＭ・ＨＷ１４によりＩＰパケットの交換を行っているため、パケットの消失や遅延を招くことがなく、また音声にノイズが混入して音声が途切れるといった問題を未然に防止でき、したがって高品質の通話を確保できる。
【００４２】
なお、本実施の形態では、ＩＰパケットをＨＤＬＣフレームに変換してＰＣＭ・ＨＷ１４によりＩＰパケットの交換を行うようにしたが、ＩＰパケットにＨＤＬＣヘッダやフッダを付加せずに、ＩＰパケットにＭＡＣ（Ｍｅｄｉａ  Ａｃｃｅｓｓ  Ｃｏｎｔｏｒｏｌ）ヘッダ、フッダを付加することにより、前述のＭＡＣフレームとすることによっても、同様にＰＣＭ・ＨＷ１４によりＩＰパケットを交換できる。
【００４３】
【発明の効果】
以上説明したように本発明によれば、ＩＰ網に接続される主装置と、主装置に収容される子機とからなるボタン電話装置において、主装置に、時分割多重された子機のＰＣＭ音声データがのせられるＰＣＭ・ＨＷと、ＰＣＭ・ＨＷに接続されるＧＷと、ＰＣＭ・ＨＷに接続されるルータとを設け、ＧＷは、ＰＣＭ・ＨＷ上のＰＣＭ音声データを受信するとＩＰパケットに変換し、変換したＩＰパケットを所定の形式のフレームに変換してＰＣＭ・ＨＷに送出する一方、ＰＣＭ・ＨＷ上の所定の形式のフレームを受信するとＩＰパケットに変換し、変換したＩＰパケットをＰＣＭ音声データに変換してＰＣＭ・ＨＷに送出し、ルータは、ＧＷにより送出されたＰＣＭ・ＨＷ上の所定の形式のフレームを受信するとＩＰパケットに変換しＩＰ網に送信する一方、ＩＰ網からのＩＰパケットを受信すると所定の形式のフレームに変換しＰＣＭ・ＨＷに送出してＧＷ側に受信させるようにしたので、主装置内部の配線の際にケーブルが不要となり、したがって、主装置の大型化を阻止できるとともに、ケーブルから放射ノイズが発生するといった問題を回避できる。
【図面の簡単な説明】
【図１】本発明に係るボタン電話装置の構成を示すブロック図である。
【図２】前記ボタン電話装置の主装置を構成するＶｏＩＰ・ＧＷ及びルータの詳細なブロック図である。
【図３】前記主装置内に通信されるＨＤＬＣフレームのフォーマットを示す図である。
【図４】従来のボタン電話装置の構成を示すブロック図である。
【図５】図４のボタン電話装置の主装置の要部構成を示すブロック図である。
【図６】図４のボタン電話装置で通信されるＩＰパケットのフォーマットを示す図である。
【符号の説明】
１…主装置、２…子機、３…インターネット、４，５…ＩＳＰ、６〜８…ＩＰ電話機、１１，１８１，１９１…ＣＰＵ、１２…ＴＤＭ、１４…ＰＣＭ・ＨＷ、１５…ＳＴＵ、１８…ＶｏＩＰ・ＧＷ、１９…ルータ、１８４，１９４…ＰＣＭ・ＨＷインタフェース、１８５…ＩＰ／ＰＣＭ変換部、１８６，１９５…ＨＤＬＣコントローラ、１９６〜１９８…ＬＡＮコントローラ。
【図１】
2004153709.tif 000003
【図２】
2004153709.tif 000004
【図３】
2004153709.tif 000005
【図４】
2004153709.tif 000006
【図５】
2004153709.tif 000007
【図６】
2004153709.tif 000008